(57)【特許請求の範囲】
【請求項１】
商品搬出装置とともに段差状の商品搬出通路を形成する通路幅規制板を、上部ピンおよび下部ピンを介してラック側板の上部ピン設定溝および下部ピン設定溝に係止することによって当該ラック側板間に配設し、搬出商品の径に応じて前記ピン設定溝における前記ピンの係止位置を変更することにより前記商品搬出通路の幅を調節可能に形成した自動販売機の商品収納ラックにおいて、
前記上部ピン設定溝は、前記上部ピンを下端部で係止したときに前記商品搬出通路の幅を小径商品用に設定する小幅設定用縦溝部、前記上部ピンを下端部で係止したときに前記商品搬出通路の幅を大径商品用に設定する大幅設定用縦溝部、前記小幅設定用縦溝部と前記大幅設定用縦溝部とを連通する逆Ｕ字状であって上方に切り欠いた回動中心部からなるとともに前記小幅設定用縦溝部の下端部と前記大幅設定用縦溝部の下端部との高さ位置を略一致させてなり、
前記下部ピン設定溝は、前記下部ピンを下端部で係止したときに前記商品搬出通路の幅を小径商品用に設定する小幅設定用縦溝部、前記下部ピンを下端部で係止したときに前記商品搬出通路の幅を大径商品用に設定する大幅設定用縦溝部、前記小幅設定用縦溝部の上端部と前記大幅設定用縦溝部の上端部とを連通する横溝部からなるとともに前記小幅設定用縦溝部の下端部と前記大幅設定用縦溝部の下端部との高さ位置を略一致させてなり、
前記通路幅規制板は、前記上部ピンと前記下部ピンとの間に誤設定防止ピンを備え、
前記ラック側板は、前記上部ピンおよび前記下部ピンの設定位置を変更する際に前記誤設定防止ピンの位置を規制することによって当該上部ピンおよび当該下部ピンの誤設定を防止し、かつ前記下部ピン設定溝と同様の溝形状からなる誤設定防止溝を備え、
前記通路幅規制板の設定位置を変更する際に前記上部ピンを前記上部ピン設定溝の回動中心部に移動させた上で当該回動中心部を回動中心にして前記下部ピンを前記横溝部に沿って移動させ、前記上部ピンおよび前記下部ピンをそれぞれの小幅設定用縦溝部の下端部もしくは大幅設定用縦溝部の下端部に配置することにより、当該設定前後における前記通路幅規制板の高さ位置がほぼ同一となるようにしたことを特徴とする自動販売機の商品収納ラック。
【発明の詳細な説明】
【０００１】
【発明の属する技術分野】
この発明は、自動販売機の商品収納ラックに関し、さらに詳しくは、傾斜段部を備えた通路幅規制板を大径商品用に設定したときに通路幅にばらつきが生じないとともに、ピン位置の誤設定を防止できる自動販売機の商品収納ラックに関する。
【０００２】
【従来の技術】
周知のように、サーペンタイン式商品収納ラックの蛇行状商品通路の下端部には、商品搬出装置と通路幅規制板とが対向配置され、これらによって商品搬出通路が形成されている。これら商品搬出装置と通路幅規制板は、ラック側板に架設されたピンによって係止されている。
【０００３】
商品搬出装置は、それぞれ突出自在に形成され、商品搬出通路内に収納された下から１番目の商品を保持する下ペダルと、下から２番目の商品を保持する上ペダルとを備え、販売指令に基づいてこれらを交互に出没させることにより、下から１番目の商品を搬出するように構成されたものが知られている。
【０００４】
通路幅規制板を係止するピンは、ラック側板に設けられた設定溝に沿って移動可能に支持されており、このピン位置を変化させることで通路幅規制板の配設位置を変更し、商品径に応じた商品搬出通路幅を設定できるようになっている。
【０００５】
ところで、販売対象商品が、瓶入りのいわゆるドリンク剤のような小径商品（たとえば、瓶外径が３５ｍｍ、内容量が５０ｍｌ程度のもの）になると、下から２番目の商品が上ペダル側に近接し過ぎて当該上ペダルの回動スペースが確保できず、当該商品と当該上ペダルとが干渉し合って引っかかり、商品詰まりが起こる場合があった。
【０００６】
そこでこれに対処すべく、本願出願人は、図５および図６に示すように、商品搬出装置３の上ペダル（図示せず）の回動スペースを確保できる商品搬出通路４を備えた商品収納ラック１０１を提供するに至った。すなわち、この商品収納ラック１０１は、傾斜段部５ａを有する通路幅規制板５と、傾斜段部６ａを有する商品位置規制スペーサ６を設けた商品搬出装置３とを備えている。
【０００７】
この通路幅規制板５は、上部ピン７および下部ピン８によってラック側板１０２の上部ピン設定溝１１０および下部ピン設定溝１２０に架設されている。ここで、図５は、通路幅規制板を小径商品に合わせて設定した状態を示す側面図、図６は、通路幅規制板を大径商品に合わせて設定した状態を示す側面図である。
【０００８】
このような構成で、通路幅規制板５の設定位置を小径商品から大径商品に合わせて変更する場合には、図５および図６に示すように、通路幅規制板５を軸支するピン７，８を設定溝１１０，１２０に沿って移動する。
【０００９】
【発明が解決しようとする課題】
しかしながら、同図に示すように、上記のような設定溝１１０，１２０では、ピン７，８の係止位置に高低差があるため、通路幅規制板５の設定位置を小径商品から大径商品に合わせて変更したときに通路幅規制板５の設定位置にも高低差が生じる。すなわち、当初設定時の通路幅Ｗ３が、通路幅Ｗ４〜Ｗ６（Ｗ５＜Ｗ６＜Ｗ４）にばらついてしまい、円滑な商品搬出の妨げとなるため、傾斜段部５ａを形成した通路幅規制板５の使用ができなくなるという課題があった。
【００１０】
一方、このような通路幅のばらつきをなくすべく、図７に示すように、係止位置の高低差が少ない設定溝２１０，２２０を形成すると、たとえば、上部ピン７が大径商品用に、下部ピン８が小径商品用に誤設定されてしまい、通路幅規制板５が傾いて商品詰まりを引き起こすという課題があった。ここで、図７は、係止位置の高低差が少ない設定溝を備えた商品収納ラックを示す側面図である。
【００１１】
この発明は、上記に鑑みてなされたものであって、傾斜段部を備えた通路幅規制板を大径商品用に設定したときに通路幅にばらつきが生じないとともに、ピン位置の誤設定を防止できる自動販売機の商品収納ラックを提供することを目的とする。
【００１２】
【課題を解決するための手段】
上述の目的を達成するために、この発明の請求項１にかかる自動販売機の商品収納ラックは、商品搬出装置とともに段差状の商品搬出通路を形成する通路幅規制板を、上部ピンおよび下部ピンを介してラック側板の上部ピン設定溝および下部ピン設定溝に係止することによって当該ラック側板間に配設し、搬出商品の径に応じて前記ピン設定溝における前記ピンの係止位置を変更することにより前記商品搬出通路の幅を調節可能に形成した自動販売機の商品収納ラックにおいて、前記上部ピン設定溝は、前記上部ピンを下端部で係止したときに前記商品搬出通路の幅を小径商品用に設定する小幅設定用縦溝部、前記上部ピンを下端部で係止したときに前記商品搬出通路の幅を大径商品用に設定する大幅設定用縦溝部、前記小幅設定用縦溝部と前記大幅設定用縦溝部とを連通する逆Ｕ字状であって上方に切り欠いた回動中心部からなるとともに前記小幅設定用縦溝部の下端部と前記大幅設定用縦溝部の下端部との高さ位置を略一致させてなり、前記下部ピン設定溝は、前記下部ピンを下端部で係止したときに前記商品搬出通路の幅を小径商品用に設定する小幅設定用縦溝部、前記下部ピンを下端部で係止したときに前記商品搬出通路の幅を大径商品用に設定する大幅設定用縦溝部、前記小幅設定用縦溝部の上端部と前記大幅設定用縦溝部の上端部とを連通する横溝部からなるとともに前記小幅設定用縦溝部の下端部と前記大幅設定用縦溝部の下端部との高さ位置を略一致させてなり、前記通路幅規制板は、前記上部ピンと前記下部ピンとの間に誤設定防止ピンを備え、前記ラック側板は、前記上部ピンおよび前記下部ピンの設定位置を変更する際に前記誤設定防止ピンの位置を規制することによって当該上部ピンおよび当該下部ピンの誤設定を防止し、かつ前記下部ピン設定溝と同様の溝形状からなる誤設定防止溝を備え、前記通路幅規制板の設定位置を変更する際に前記上部ピンを前記上部ピン設定溝の回動中心部に移動させた上で当該回動中心部を回動中心にして前記下部ピンを前記横溝部に沿って移動させ、前記上部ピンおよび前記下部ピンをそれぞれの小幅設定用縦溝部の下端部もしくは大幅設定用縦溝部の下端部に配置することにより、当該設定前後における前記通路幅規制板の高さ位置がほぼ同一となるようにしたことを特徴とする。
【００１３】
したがって、段差状の商品搬出通路を形成する通路幅規制板であっても、上部ピンを中心にして回動するだけで、通路幅をばらつきなく設定変更でき、ピン位置の誤設定を確実に防止できる。
【００１４】
【発明の実施の形態】
以下、この発明にかかる自動販売機の商品収納ラックの実施の形態につき図面を参照しつつ詳細に説明する。なお、この実施の形態によりこの発明が限定されるものではない。
【００１５】
図１は、この発明の実施の形態にかかる通路幅規制板が小径商品用に設定された状態を示す側面図、図２および図３は、通路幅規制板が小径商品用から大径商品用に設定される過程を示す側面図、図４は、通路幅規制板が大径商品用に設定された状態を示す側面図である。なお、以下の説明において、すでに説明した部材と同一もしくは相当する部材には、同一の符号を付して重複説明を省略または簡略化する。
【００１６】
図１〜図４に示すように、ラック側板２に設けられた上部ピン設定溝１０は、上部ピン７を係止するために設けたものであり、下部ピン設定溝２０は、下部ピン８を係止するために設けたものである。また、誤設定防止ピン２５およびこれを係止する誤設定防止溝３０は、ピン７，８の係止位置の誤設定を防止するために設けたものである。
【００１７】
まず、下部ピン設定溝２０について詳細に説明する。下部ピン設定溝２０は、下部ピン８を下端部で係止したときに小径商品用の通路幅を設定できるように形成した小幅設定用縦溝部２０ａと、下部ピン８を下端部で係止したときに大径商品用の通路幅を設定できるように形成した大幅設定用縦溝部２０ｂと、これらを連通させる横溝部２０ｃとから構成されている。
【００１８】
小幅設定用縦溝部２０ａの下端部および大幅設定用縦溝部２０ｂの下端部の高さ位置は、前述した高低差を僅少にするためにほぼ一致させてある。横溝部２０ｃは、上部ピン７を図１に示す状態から図２に示す回動中心部１０ｃに持ち上げ、この回動中心部１０ｃを中心にして通路幅規制板５を回動させたときに、下部ピン８が円滑に溝内を摺動できるように円弧状に形成されている。
【００１９】
つぎに上部ピン設定溝１０について詳細に説明する。上部ピン設定溝１０は、上部ピン７を下端部で係止したときに小径商品用の通路幅を設定できるように形成した小幅設定用縦溝部１０ａと、上部ピン７を下端部で係止したときに大径商品用の通路幅を設定できるように形成した大幅設定用縦溝部１０ｂとが、ほぼ逆Ｕ字状に連なって構成され、これらの連通部分にはラック側板２を上方に若干切り欠いて形成した回動中心部１０ｃを設けてある。
【００２０】
小幅設定用縦溝部１０ａの下端部および大幅設定用縦溝部１０ｂの下端部の高さ位置は、前述した高低差を僅少にするためにほぼ一致させてある。また、この回動中心部１０ｃは、通路幅切替設定時において、上部ピン７を支点にして通路幅規制板５を回動させる際の回動中心となるとともに、上部ピン７の配設方向の分岐点となるものである。
【００２１】
つぎに誤設定防止溝３０について詳細に説明する。誤設定防止溝３０は、下部ピン設定溝２０とほぼ同様の形状に形成された縦溝部３０ａ，３０ｂおよび横溝部３０ｃとから構成され、回動中心部１０ｃを中心にして通路幅規制板５を回動させたときに誤設定防止ピン２５の動作範囲を規制することで、ピン７，８の係止位置の誤設定を防止するようになっている。なお、横溝部３０ｃは、上部ピン７を図１に示す状態から図２に示す回動中心部１０ｃに持ち上げ、この回動中心部１０ｃを中心にして通路幅規制板５を回動させたときに、誤設定防止ピン２５が円滑に溝内を摺動できるように円弧状に形成されている。
【００２２】
つぎに、通路幅規制板５を小径商品用から大径商品用に設定する動作について図１〜図４に基づいて説明する。まず、図１〜図２に示すように、小径商品用の設定状態にある通路幅規制板５を、下部ピン８が横溝部２０ｃに係合するまで持ち上げる。このとき、図２に示すように、上部ピン７は回動中心部１０ｃに位置しており、また誤設定防止ピン２５も横溝部３０ｃに係合している。
【００２３】
したがって、図３に示すように、この回動中心部１０ｃを中心にして通路幅規制板５を回動させると、下部ピン８および誤設定防止ピン２５が横溝部２０ｃ，３０ｃの終端部まで摺動する。そして、上部ピン７、下部ピン８および誤設定防止ピン２５は、それぞれ大幅設定用縦溝部１０ｂ，２０ｂおよび縦溝部３０ｂに沿って下端部まで落下し、図４に示す大径商品用の設定位置に係止される。
【００２４】
このように、通路幅規制板５を回動させているときには、誤設定防止ピン２５が誤設定防止溝３０によって規制されているので、ピン７，８が相反する通路幅の係止位置に誤設定されることがない。また、図１および図４に示すように、通路幅規制板５の設定変更により、通路幅はＷ１からＷ２（Ｗ１＜Ｗ２）に設定されるが、設定変更後も高さ方向において同一寸法に形成でき、ばらつきをなくすことができるので、円滑に商品を搬出できる。
【００２５】
以上のように、この実施の形態にかかる自動販売機の商品収納ラック１によれば、傾斜段部５ａを備えた通路幅規制板５を大径商品用に設定したときに通路幅にばらつきが生じないとともに、ピン７，８の誤設定を確実に防止できる。
【００２６】
【発明の効果】
以上説明したように、この発明にかかる自動販売機の商品収納ラックによれば、商品搬出装置とともに段差状の商品搬出通路を形成する通路幅規制板を、上部ピンおよび下部ピンを介してラック側板の上部ピン設定溝および下部ピン設定溝に係止することによって当該ラック側板間に配設し、搬出商品の径に応じて前記ピン設定溝における前記ピンの係止位置を変更することにより前記商品搬出通路の幅を調節可能に形成した自動販売機の商品収納ラックにおいて、前記上部ピン設定溝および前記下部ピン設定溝は、前記上部ピンおよび前記下部ピンの設定位置を変更する際に当該上部ピンを回動中心にして当該下部ピンを回動できるように形成されるとともに、当該設定前後における前記通路幅規制板の高さ位置がほぼ同一となるように形成され、前記通路幅規制板は、前記上部ピンおよび前記下部ピンとの間に誤設定防止ピンを備え、前記ラック側板は、前記上部ピンおよび前記下部ピンの設定位置を変更する際に前記誤設定防止ピンの位置を規制することによって当該上部ピンおよび当該下部ピンの誤設定を防止する誤設定防止溝を備えたので、段差状の商品搬出通路を形成する通路幅規制板であっても、上部ピンを中心にして回動するだけで、通路幅をばらつきなく設定変更でき、ピン位置の誤設定を確実に防止できる。
【図面の簡単な説明】
【図１】この発明の実施の形態にかかる通路幅規制板が小径商品用に設定された状態を示す側面図である。
【図２】通路幅規制板が小径商品用から大径商品用に設定される過程を示す側面図である。
【図３】通路幅規制板が小径商品用から大径商品用に設定される過程を示す側面図である。
【図４】通路幅規制板が大径商品用に設定された状態を示す側面図である。
【図５】通路幅規制板を小径商品に合わせて設定した状態を示す側面図である。
【図６】通路幅規制板を大径商品に合わせて設定した状態を示す側面図である。
【図７】係止位置の高低差が少ない設定溝を備えた商品収納ラックを示す側面図である。
【符号の説明】
１  商品収納ラック
２  ラック側板
３  商品搬出装置
４  商品搬出通路
５  通路幅規制板
５ａ  傾斜段部
６  商品位置規制スペーサ
６ａ  傾斜段部
７  上部ピン
８  下部ピン
Ｗ１、Ｗ２  通路幅
１０  上部ピン設定溝
１０ａ  小幅設定用縦溝部
１０ｂ  大幅設定用縦溝部
１０ｃ  回動中心部
２０  下部ピン設定溝
２０ａ  小幅設定用縦溝部
２０ｂ  大幅設定用縦溝部
２０ｃ  横溝部
２５  誤設定防止ピン
３０  誤設定防止溝
３０ａ、３０ｂ  縦溝部
３０ｃ  横溝部
【図１】
0004442034.tif 000002
【図２】
0004442034.tif 000003
【図３】
0004442034.tif 000004
【図４】
0004442034.tif 000005
【図５】
0004442034.tif 000006
【図６】
0004442034.tif 000007
【図７】
0004442034.tif 000008